(57)【要約】【課題】一般家庭における室内の除湿もしくは室内に干した洗濯物の乾燥に使用され、その電力表示を容易に行える除湿装置を提供する。【解決手段】除湿装置の操作表示部２に運転時の電力を表示する電力表示部９と前記除湿装置の制御および前記除湿装置の電力を計算する制御装置１０を備え、前記制御装置１０には前記除湿装置の各負荷電力を記憶しておき、前記除湿装置が運転しているときの負荷の電力を前記各負荷電力から選定して足し算することから電力を算出し、前記電力表示部９に前記制御装置１０の運転しているときの電力を表示することを特徴とする。この手段により、電圧センサや電流センサなどを用いることなく、さらに力率計算も必要とせずに消費電力を算出して表示することが可能となり、使用者が除湿装置を運転しているときの消費電力を把握することができる除湿装置が得られる。【選択図】図２
2010137116.tif 000002
【特許請求の範囲】
【請求項１】
除湿装置の表示部に運転時の電力を表示する電力表示部と、前記除湿装置の制御および前記除湿装置の電力を計算する制御装置とを備え、前記制御装置には前記除湿装置の各負荷電力を記憶しておき、前記除湿装置が運転しているときの負荷の電力を前記各負荷電力から選定して足し算することから電力を算出し、前記電力表示部に前記除湿装置の運転しているときの電力を表示することを特徴とする除湿装置。
【請求項２】
制御装置に除湿装置で選択できる運転の種類毎に電力を記憶しておき、前記除湿装置が運転しているときの電力を前記運転の種類から選定することを特徴とする請求項１記載の除湿装置。
【請求項３】
除湿装置の電力表示部に停止時の電力を表示することを特徴とした請求項１乃至２記載の除湿装置。
【請求項４】
電力表示部を除湿装置の乾燥風が吹き出す方向と同じ側にしないことを特徴とする請求項１乃至３のいずれかに記載の除湿装置。
【請求項５】
電力表示部の電力表示を段階表示にすることを特徴とする請求項１乃至４のいずれかに記載の除湿装置。
【請求項６】
電力表示部の電力表示を複数表示の足し算にすることを特徴とする請求項１乃至４のいずれかに記載の除湿装置。
【請求項７】
電力表示部の電力表示を数値表示にすることを特徴とする請求項１乃至４のいずれかに記載の除湿装置。
【請求項８】
電力表示部の色の変化で電力を表現することを特徴とする請求項１乃至７のいずれかに記載の除湿装置。
【請求項９】
電力表示部をＬＥＤで構成することを特徴とする請求項１乃至６または８のいずれかに記載の除湿装置。
【請求項１０】
電力表示部を７セグメントで構成することを特徴とする請求項１乃至４または７乃至８のいずれかに記載の除湿装置。
【請求項１１】
電力表示部を液晶で構成することを特徴とする請求項１乃至８のいずれかに記載の除湿装置。
【請求項１２】
電力を音声により知らせることを特徴とする請求項１乃至４のいずれかに記載の除湿装置。
【発明の詳細な説明】
【技術分野】
【０００１】
本発明は、主に一般家庭における室内の除湿もしくは室内に干した洗濯物の乾燥に使用される除湿装置の電力表示に関する。
【背景技術】
【０００２】
近年、地球温暖化や燃料費の高騰により、一般家庭での省エネルギーへの意識が高まり、消費電力を意識して家電機器を使用する傾向にある。このような傾向に対して、衣類乾燥機能や除湿機能など多くの運転状態を持ち、さらにそれぞれの運転状態において、湿度や温度を検知して自動的に運転を切り替える除湿装置では、取扱説明書に定格電力の記載はあるものの、実際に運転しているときの消費電力を使用者が把握したくても出来ないのが現状である。そのため、除湿装置を運転しているときの消費電力を表示して、使用者が省エネルギーを意識して使用することできる除湿装置が求められている。
【０００３】
しかしながら、使用者に除湿装置が除湿運転や送風のみの運転などの運転状態を知らせる除湿装置は開発されているが、除湿装置が運転しているときの消費電力を表示して、使用者に知らせることのできる除湿装置は発明されていない。（例えば、特許文献１参照）。
【０００４】
以下、その除湿装置について説明する。
【０００５】
除湿装置が除湿運転しているときと送風運転をしているときの状態をＬＥＤなどの表示により、使用者に知らせる除湿装置である。
【特許文献１】特開２００８−９３５０６号公報
【発明の開示】
【発明が解決しようとする課題】
【０００６】
このような従来の方法では、除湿装置の運転状態を使用者に知らせることはできるが、使用者は除湿装置を運転しているときの消費電力を把握することはできない。そのため、使用者が省エネルギーを意識して除湿装置を使用しようとしても、使用者には除湿装置を運転しているときの消費電力を知る方法が無く、使用者主導で除湿装置を省エネルギーに運転することはできない。
【０００７】
本発明は、このような従来の課題を解決するものであり、電圧センサや電流センサなどの検知回路を用いることなく、除湿装置を運転しているときの消費電力を算出し、さらに算出した消費電力を表示することによって、使用者が除湿装置の消費電力を把握して、使用者主導の省エネルギー運転をすることができる除湿装置を提供することを目的としている。
【課題を解決するための手段】
【０００８】
本発明は上記目的を達成するために、除湿装置の表示部に運転時の電力を表示する電力表示部と、前記除湿装置の制御および前記除湿装置の電力を計算する制御装置とを備え、前記制御装置には前記除湿装置の各負荷電力を記憶しておき、前記除湿装置が運転しているときの負荷の電力を前記各負荷電力から選定して足し算することから電力を算出し、前記電力表示部に前記除湿装置の運転しているときの電力を表示することを特徴としたものである。
【０００９】
この手段により、電圧センサや電流センサなどを用いることなく、さらに力率計算も必要とせずに消費電力を算出して表示することが可能となり、使用者が除湿装置を運転しているときの消費電力を把握することができる除湿装置が得られる。
【００１０】
さらに、制御装置に除湿装置で選択できる運転の種類毎に電力を記憶しておき、前記除湿装置が運転しているときの電力を前記運転の種類から選定することを特徴としたものである。
【００１１】
この手段により、除湿装置を運転しているときの消費電力を算出するのではなく選定することで求めることができる除湿装置が得られる。
【００１２】
さらに、除湿装置の電力表示部に停止時の電力を表示することを特徴としたものである。
【００１３】
この手段により、使用者が除湿装置を停止しているときの待機電力を把握することができる湿装置が得られる。
【００１４】
さらに、電力表示部を除湿装置の乾燥風が吹き出す方向と同じ側にしないことを特徴としたものである。
【００１５】
この手段により、除湿装置の乾燥風の方向を調節するルーバーなどの影になることなく、除湿装置を運転しているときの消費電力を使用者が容易に確認できる除湿装置が得られる。
【００１６】
さらに、電力表示部の電力表示を段階表示にすることを特徴としたものである。
【００１７】
この手段により、使用者が除湿装置から離れた場所からも消費電力の大きさを認識しやすい除湿機装置が得られる。
【００１８】
さらに、電力表示部の電力表示を複数表示の足し算にすることを特徴としたものである。
【００１９】
この手段により、負荷の種類別の詳細表示や表示部分の簡略化をすることができる除湿装置が得られる。
【００２０】
さらに、電力表示部の電力表示を数値表示にすることを特徴としたものである。
【００２１】
この手段により、除湿装置の消費電力を定量的に表示することができる除湿装置が得られる。
【００２２】
さらに、電力表示部の色の変化で電力を表現することを特徴としたものである。
【００２３】
この手段により、使用者が除湿装置の運転による部屋の温度上昇の度合いを認識しやすい除湿装置が得られる。
【００２４】
さらに、電力表示部をＬＥＤで構成することを特徴としたものである。
【００２５】
この手段により、除湿装置の消費電力を簡単な方法で表示することができる除湿装置が得られる。
【００２６】
さらに、電力表示部を７セグメントで構成することを特徴としたものである。
【００２７】
この手段により、除湿装置の消費電力を数値で表示することができる除湿装置が得られる。
【００２８】
さらに、電力表示部を液晶で構成することを特徴としたものである。
【００２９】
この手段により、除湿装置の消費電力を数値や絵などを組み合わせて表示することができる除湿装置が得られる。
【００３０】
さらに、電力を音声により知らせることを特徴としたものである。
【００３１】
この手段により、除湿装置の消費電力を音声により知らせることができる除湿装置が得られる。
【発明の効果】
【００３２】
本発明によれば、除湿装置が運転しているときの消費電力を電圧センサや電流センサなどを用いることなく、さらに力率計算も必要とせずに消費電力を算出して表示することを可能とし、使用者が除湿装置の消費電力を把握して、使用者主導の省エネルギー運転をすることができる除湿装置が得られる。
【発明を実施するための最良の形態】
【００３３】
本発明の請求項１記載の発明は、除湿装置の表示部に運転時の電力を表示する電力表示部と、前記除湿装置の制御および前記除湿装置の電力を計算する制御装置とを備え、前記制御装置には前記除湿装置の各負荷電力を記憶しておき、前記除湿装置が運転しているときの負荷の電力を前記各負荷電力から選定して足し算することから電力を算出し、前記電力表示部に前記除湿装置の運転しているときの電力を表示することを特徴とする。
【００３４】
この構成により、電圧センサや電流センサなどを用いることなく、さらに力率計算も必要とせずに消費電力を算出して表示することが可能となり、使用者が除湿装置を運転しているときの消費電力を把握することができるという作用を有する。
【００３５】
また、制御装置に除湿装置で選択できる運転の種類毎に電力を記憶しておき、前記除湿装置が運転しているときの電力を前記運転の種類から選定することを特徴とし、除湿装置を運転しているときの消費電力を算出するのではなく、選定することで求めることができるという作用を有する。
【００３６】
また、除湿装置の電力表示部に停止時の電力を表示することを特徴とし、使用者が除湿装置を停止しているときの待機電力を把握することができるという作用を有する。
【００３７】
また、電力表示部を除湿装置の乾燥風が吹き出す方向と同じ側にしないことを特徴とし、除湿装置の乾燥風の方向を調節するルーバーなどの影になることなく、除湿装置を運転しているときの消費電力を使用者が容易に確認できるという作用を有する。
【００３８】
また、電力表示部の電力表示を段階表示にすることを特徴とし、使用者が除湿装置から離れた場所からも消費電力の大きさを認識しやすいという作用を有する。
【００３９】
また、電力表示部の電力表示を複数表示の足し算にすることを特徴とし、負荷の種類別の詳細表示や表示部分の簡略化をすることができるという作用を有する。
【００４０】
また、電力表示部の電力表示を数値表示にすることを特徴とし、除湿装置の消費電力を定量的に表示することができるという作用を有する。
【００４１】
また、電力表示部の色の変化で電力を表現することを特徴とし、使用者が除湿装置の運転による部屋の温度上昇の度合いを認識しやすいという作用を有する。
【００４２】
また、電力表示部をＬＥＤで構成することを特徴とし、除湿装置の消費電力を簡単な方法で表示することができるという作用を有する。
【００４３】
また、電力表示部を７セグメントで構成することを特徴とし、除湿装置の消費電力を数値で表示することができるという作用を有する。
【００４４】
また、電力表示部を液晶で構成することを特徴とし、除湿装置の消費電力を数値や絵などを組み合わせて表示することができるという作用を有する。
【００４５】
また、電力を音声により知らせることを特徴とし、除湿装置の消費電力を音声により知らせることができるという作用を有する。
【００４６】
以下、本発明の実施の形態について図面を参照しながら説明する。
【００４７】
（実施の形態１）
図１と図２に本発明に関わる除湿装置の全体構成を示す。
【００４８】
図１に示すように、除湿装置は、本体１の天面に除湿装置の操作と運転状態を表示するための操作表示部２と室内の空気を吸い込む吸込口３と除湿された空気を吹き出すための吹出口４と吹出口４から吹き出す空気の風向を上下方向に変化させるための風向ルーバー５と水平方向に送風範囲を変化させる送風範囲ルーバー６と除湿した水分を集めるためのタンク７と室内の空気の温度と湿度を検知する温湿度センサ８を備えている。また、操作表示部２には除湿装置が運転しているときの電力を表示する電力表示部９を備えている。ここで、操作表示部２にある電力表示部９は、除湿装置の乾燥風が吹き出す方向と一致しないように吹出口４の反対側にあり、風向ルーバー５の影になって使用者が見難い配置にならにように考慮してある。また、温湿度センサ８は、雰囲気温度の検知と雰囲気湿度の検知ができるものであればよく、それぞれサーミスタや高分子センサなどを使用することができる。
【００４９】
次に図２に示すように、除湿装置の本体１の内部には、除湿装置の制御と消費電力を演算するための制御装置１０と、吸い込んだ空気の水分を吸着する吸湿材と吸湿材を回転させるための吸湿材回転用モータ１１と、吸湿材を加熱して吸湿材から水分を放出させるための再生ヒーターＬ１２と再生ヒーターＨ１３と吸湿材から放出される水分を凝縮させるための凝縮器１４と室内の空気を吸込口３から吸い込んで本体１の内部を循環させて除湿した空気を吹出口４から吹き出すためのファンとファンを駆動するためのファンモータ１５と風向ルーバー５と送風範囲ルーバー６を駆動するためのステッピングモータとが収納されている。ここで、再生ヒーターは再生ヒーターＬ１２と再生ヒーターＨ１３の構成になっているが、それぞれの役割は同じであり、再生ヒーターの温度の調節範囲を広げるためにこのような構成としている。また、制御装置１０には、負荷を駆動するためのトライアックやリレーなどの電子部品で構成された負荷駆動回路１６と、カウンターやＲＡＭやＲＯＭを内部に持つマイコン１７とを備えている。ここで、マイコン１７の動作はマイコン内のカウンターやＲＡＭやＲＯＭが共同するマイコンのプログラムの形態で実施される。
【００５０】
上記のように構成した除湿装置において、消費電力および待機電力の演算方法と表示方法について、図２から図１１を参照しながら説明する。
【００５１】
図２に示すように、除湿装置の制御装置１０に搭載されているマイコン１７に除湿装置の各負荷の消費電力と待機電力を図３に示すようにデータテーブル形式で記憶させておく。ここでは、ステッピングモータの消費電力は、図３に示す負荷の消費電力に比べて非常に小さく無視できるレベルであるため、消費電力の計算から省略している。
【００５２】
図４に示すように、ステップ１で除湿装置に電源が投入されたときは、ステップ２に移行して、図３に示した負荷消費電力のデータテーブルから待機電力Ｈ［Ｗ］を選出して消費電力を求める。そして、ステップ３に移行して電力表示部９に待機電力Ｈ［Ｗ］を表示する。次に、ステップ４に移行して除湿装置の運転が開始されたかどうかを判断して、運転が開始されない場合は、ステップ３に移行して電力表示部９に待機電力Ｈ［Ｗ］を表示する。そして、運転が開始された場合は、ステップ５に移行して制御装置により除湿装置の各負荷を駆動した後、ステップ６に移行して制御装置により駆動した各負荷の消費電力を図２に示した負荷消費電力のデータテーブルから取り出して、除湿装置全体の消費電力Ｐ［Ｗ］を足し算して算出する。そして、ステップ７に移行して、電力表示部９に除湿装置が運転しているときの消費電力Ｐ［Ｗ］を表示する。次に、ステップ８に移行して、運転状態の変更が発生しない場合は、ステップ７に移行して電力表示部９に消費電力Ｐ［Ｗ］を表示する。そして、温湿度センサ８で検知した温度と湿度の変化により除湿装置の運転を自動的に変更するときや使用者による運転状態の変更が発生した場合は、ステップ９に移行して運転状態の変更なのか停止なのかを判断する。運転状態の変更であった場合は、ステップ５に移行して新たに除湿装置の消費電力Ｐ［Ｗ］を算出して電力表示部９に表示する。また、停止の場合は、ステップ１０に移行して各負荷を停止してから、ステップ２に移行して電力表示部９に待機電力Ｈ［Ｗ］を表示する。
【００５３】
次に除湿装置の消費電力Ｐ［Ｗ］の算出例を示す。
【００５４】
例えば、除湿装置の負荷として、ファンモータ１５の弱運転、再生ヒーターＬ１２、吸湿材回転用モータ１１、凝縮器１４が駆動している場合、図３に示す負荷消費電力のデータテーブルから、それぞれの負荷の消費電力としてＣ［Ｗ］、Ｄ［Ｗ］、Ｆ［Ｗ］、Ｇ［Ｗ］を取り出し、消費電力Ｐ［Ｗ］＝Ｃ＋Ｄ＋Ｆ＋Ｇにより算出する。そして、算出した消費電力Ｐ［Ｗ］を電力表示部９に表示する。次に、室内の温湿度の変化や使用者により運転状態が変更され、除湿装置の負荷がファンモータ１５の強運転、再生ヒーターＬ１２、再生ヒーターＨ１３、吸湿材回転用モータ１１、凝縮器１４に変更された場合は、図３に示す負荷消費電力のデータテーブルから、それぞれの負荷の消費電力として、新たにＡ［Ｗ］、Ｄ［Ｗ］、Ｅ［Ｗ］、Ｆ［Ｗ］、Ｇ［Ｗ］を取り出しＰ［Ｗ］＝Ａ＋Ｄ＋Ｅ＋Ｆ＋Ｇにより再計算する。そして、再計算された消費電力Ｐ［Ｗ］を電力表示部９に新たに表示する。
【００５５】
このようにマイコンなどの情報を記憶できる電子部品を搭載している除湿措置であれば、電圧センサや電流センサなどの新たな電子部品と電子回路を用いることなく、さらに力率を考慮する必要もないので、低コストかつ簡単な方法で除湿装置が運転しているときの消費電力を算出することができ、電力を表示する表示手段を備えることで、使用者が除湿装置を運転しているときの消費電力を把握して使用することのとできる除湿装置が得られる。
【００５６】
図には示していないが、除湿装置の持つすべての運転状態の消費電力をデータテーブル形式でマイコンに記憶させておき、除湿装置の運転状態に合致する消費電力をデータテーブルから選定するだけで計算する必要もなく、さらに簡単に除湿装置の消費電力や待機電力を求めることが可能である。
【００５７】
このように、電圧センサや電流センサなどのセンサ類や専用の電子回路を用いず、マイコンなどの情報を記憶することのできる電子部品に消費電力の情報を記憶しておいて、除湿装置が運転しているときや停止しているときの消費電力を求める方法であれば、その方法に限定されず、その作用効果に差異は生じない。
【００５８】
次に除湿装置の消費電力の表示例を示す。
【００５９】
図５に示すように、電力表示部９に７セグメントを用いて表示すれば、除湿装置の消費電力を定量的に表示することが可能である。さらに消費電力の数値の色を消費電力が高いときは暖色系の色である赤色などにし、消費電力が低いときは緑色や青色などに色分けして表示することで、使用者に除湿装置を運転することによる部屋の温度上昇に影響する度合いを認識しやすくすることができる。
【００６０】
また、図には示していないが、電力表示部９に液晶を用いれば、除湿装置の消費電力の大きさを数値だけでなく絵で表現することも可能である。さらに、消費電力が高いときは、液晶のバックライトを暖色系の色である赤色にし、消費電力が低いときはバックライトを消すなどの色分けをすることで、使用者に除湿装置を運転することによる部屋の温度上昇に影響する度合いを認識しやすくすることができる。
【００６１】
また、図６に示すように電力表示部９に液晶を用いれば、除湿装置の消費電力を数値で定量的に表示すことが可能となる。
【００６２】
また、図７に示すように電力表示部９に液晶を用いれば、除湿装置の各負荷のファンモータ、再生ヒーター、吸湿材回転用モータ、凝縮器のように各負荷の消費電力を表示することが可能となり、使用者は各負荷の消費電力を把握することができ、各負荷の消費電力の合計から除湿装置の消費電力を把握することも可能となる。
【００６３】
また、図８に示すように電力表示部９に液晶を用いれば、除湿装置の消費電力を段階表示することができ、使用者が除湿装置から離れた場所からでも消費電力の大きさを認識しやすい表示が可能となる。
【００６４】
図６から図８に示した液晶の表示には、除湿装置の消費電力を数値表示と各負荷の消費電力表示と段階表示を別々に表示しているが、図９に示すように３つの表示方法を組み合わせて表示しても、または、図には示していないが、それぞれ２つの表示の組み合わせ表示であっても、その作用効果に差異は無い。
【００６５】
また、図１０に示すように、電力表示部９にＬＥＤを用いて表示すれば、除湿装置の消費電力と待機電力を簡単な方法で段階表示することが可能となり、使用者が除湿装置から離れた場所からでも消費電力の大きさを認識しやすい表示が可能となる。ここでは、待機電力０．３Ｗと消費電力を１００Ｗ刻みの最大６００Ｗまでの表示内容となっているが、ＬＥＤ個数を増やして表現できる数値の範囲を大きくすることも表現できる数値を細かくすることも可能である。
【００６６】
また、図１１に示すように、電力表示部９にＬＥＤを用いて表示すれば、点灯しているＬＥＤの合計から除湿装置の消費電力と待機電力を簡単な方法で表示することが可能となる。ここでは、待機電力０．３Ｗと消費電力を１０Ｗ刻みの最大６００Ｗまでの表示内容となっているが、ＬＥＤ個数を増やして表現できる数値の範囲を大きくすることも表現できる数値を細かくすることも可能である。
【００６７】
また、図には示していないが、図１０と図１１のＬＥＤに２色ＬＥＤを用いれば、ＬＥＤの色を消費電力が高いときは暖色系の色である赤色などにし、消費電力が低いときは緑色や青色などに色分けして表示することで、使用者に除湿装置を運転することによる部屋の温度上昇に影響する度合いを認識しやすくすることができる。
【産業上の利用可能性】
【００６８】
本発明の除湿装置の制御は、一般家庭用の家電機器の消費電力表示に適用できる。
【図面の簡単な説明】
【００６９】
【図１】本発明の実施の形態１の除湿装置の図
【図２】本発明の実施の形態１の除湿装置の構成を示す図
【図３】同除湿装置の負荷消費電力を示す図
【図４】同除湿装置の消費電力演算プログラムのフローチャート
【図５】同除湿装置の７セグメントによる電力表示の図
【図６】同除湿装置の液晶による電力表示の例１の図
【図７】同除湿装置の液晶による電力表示の例２の図
【図８】同除湿装置の液晶による電力表示の例３の図
【図９】同除湿装置の液晶による電力表示の例４の図
【図１０】同除湿装置のＬＥＤによる電力表示の例１の図
【図１１】同除湿装置のＬＥＤによる電力表示の例２の図
【符号の説明】
【００７０】
１    本体
２    操作表示部
３    吸込口
４    吹出口
５    風向ルーバー
６    送風範囲ルーバー
７    タンク
８    温湿度センサ
９    電力表示部
１０  制御装置
１１  吸湿材回転用モータ
１２  再生ヒーターＬ
１３  再生ヒーターＨ
１４  凝縮器
１５  ファンモータ
１６  負荷駆動回路
【図１】
2010137116.tif 000003
【図２】
2010137116.tif 000004
【図３】
2010137116.tif 000005
【図４】
2010137116.tif 000006
【図５】
2010137116.tif 000007
【図６】
2010137116.tif 000008
【図７】
2010137116.tif 000009
【図８】
2010137116.tif 000010
【図９】
2010137116.tif 000011
【図１０】
2010137116.tif 000012
【図１１】
2010137116.tif 000013